(57)【要約】【課題】効率良くプリント設定することができるデジタルカメラを提供する。【解決手段】撮影モードからプリントモードへ遷移して撮影画像の再生表示を開始する際に、メモリカードに格納されるプリント注文ファイルと画像フォルダ内の撮影画像のコマ番号とを参照する。そして、画像フォルダ内にプリント未設定の撮影画像（プリント未設定画像）が存在している場合には、プリント未設定画像のうちのコマ番号が最大の画像を読出して、プリントモードに移行し、読出した画像を表示するプリント設定画面をＬＣＤに表示する。一方、画像フォルダ内にプリント未設定画像が存在していない場合には、プリント設定がされている撮影画像（プリント既設定画像）のうちのコマ番号が最大の画像を読出して、プリントモードに移行し、読出した画像を表示するプリント設定画面をＬＣＤに表示する。【選択図】図９
2005236763.tif 000002
【特許請求の範囲】
【請求項１】
撮影画像と、当該撮影画像に対するプリント設定の情報とを記録手段に記録するデジタルカメラであって、
前記記録手段に記録される一以上の撮影画像に対するプリント設定を行い、当該プリント設定に関する情報をプリント情報データとして前記記録手段に記録させるように制御する情報記録制御手段と、
前記記録手段に記録された撮影画像の再生表示を含む再生表示画面を表示する表示手段と、
前記表示手段による表示画面を前記再生表示画面に遷移させる画面遷移操作を受け付ける画面遷移操作受付手段と、
前記表示画面が前記再生表示画面に遷移する際、前記プリント情報データを参照して、前記記録手段に記録された複数の撮影画像のうちのプリント設定が行われていないプリント未設定画像の再生表示を含む再生表示画面を、前記表示手段が優先的に表示するように制御する表示制御手段と、
を備えることを特徴とするデジタルカメラ。
【請求項２】
請求項１に記載のデジタルカメラであって、
前記再生表示画面が、
前記記録手段に記録された撮影画像に対するプリント設定を実施するためのプリント設定画面であることを特徴とするデジタルカメラ。
【請求項３】
請求項１または請求項２に記載のデジタルカメラであって、
前記表示制御手段が、
前記記録手段に含まれる所定の画像記録領域に記録された全ての撮影画像に対してプリント設定が完了している場合は、前記表示画面が前記再生表示画面に遷移する際、前記所定の画像記録領域に記録された全ての撮影画像のうち、最先または最後に記録された撮影画像の再生表示を含む再生表示画面を、前記表示手段が表示するように制御することを特徴とするデジタルカメラ。
【請求項４】
請求項１から請求項３のいずれかに記載のデジタルカメラであって、
前記表示手段が前記プリント未設定画像の再生表示を含む再生表示画面を優先的に表示した優先表示状態において、当該表示手段によって表示される前記プリント未設定画像に対して特定のプリント設定条件を設定する設定手段、
をさらに備えることを特徴とするデジタルカメラ。
【請求項５】
請求項４に記載のデジタルカメラであって、
前記優先表示状態においてプリント設定に関わる所定操作を受け付ける所定操作受付手段、
をさらに備え、
前記情報記録制御手段が、
前記優先表示状態における前記所定操作に応答して、前記特定のプリント設定条件を前記記録手段に記録させ、前記所定操作に応答するまでは、前記特定のプリント設定条件を前記記録手段に記録させないように制御することを特徴とするデジタルカメラ。
【請求項６】
請求項２に記載のデジタルカメラであって、
被写体に係る撮影画像を取得する撮影モードと、前記記録手段に記録された撮影画像を前記表示手段によって再生表示する再生モードとを含む複数のモードから、前記記録手段に記録された撮影画像に対するプリント設定を行うためのプリントモードへモード遷移させるモード遷移操作を受け付けるモード遷移操作受付手段、
を備え、
前記表示制御手段が、
前記撮影モードから前記プリントモードに遷移して前記表示画面が前記プリント設定画面に遷移する際には、前記プリント情報データを参照して、前記表示手段が前記プリント未設定画像の再生表示を含むプリント設定画面を優先的に表示する一方で、前記再生モードから前記プリントモードに遷移して前記表示画面が前記プリント設定画面に遷移する際には、前記プリント情報データの内容に拘わらず、前記画面遷移操作が行われた際に前記再生モードにおいて前記表示手段により再生表示されていた撮影画像に対応するプリント設定画面を前記表示手段が表示するように制御することを特徴とするデジタルカメラ。
【請求項７】
請求項１から請求項６のいずれかに記載のデジタルカメラであって、
前記表示手段によって再生表示される撮影画像を、現在再生表示されている前記記録手段に記録された撮影画像から前記記録手段に記録された他の撮影画像に変更する表示画像変更操作を受け付ける画像変更操作受付手段、
をさらに備え、
前記表示制御手段が、
前記表示手段による再生表示画面上に前記記録手段に記録されたプリント未設定画像が表示されている際に、前記表示画像変更操作に応答して、前記再生表示画面において次に再生表示される撮影画像が前記記録手段に記録された他のプリント未設定画像となるように制御することを特徴とするデジタルカメラ。
【請求項８】
請求項１から請求項７のいずれかに記載のデジタルカメラであって、
前記記録手段に含まれる所定の画像記録領域に記録された全ての撮影画像に対してプリント設定が完了したことを、所定のタイミングにおいて報知する報知手段、
をさらに備えることを特徴とするデジタルカメラ。
【発明の詳細な説明】
【技術分野】
【０００１】
本発明は、デジタルカメラについて、撮影画像に対するプリント設定を実施するための技術に関する。
【背景技術】
【０００２】
近年、デジタルカメラが急激に普及し、デジタルカメラで得られる撮影画像をリムーバブルメモリを介してプリンタで直接出力することができる技術が実現されている。そして、リムーバブルメモリに撮影画像に係るプリント設定データを記録するファイルフォーマットとしては、ＤＰＯＦ（Digital Print Order Format）（登録商標）などが良く知られている。
【０００３】
このようなデジタルカメラにおいては、再生モードにおけるコマ送り・戻し動作により、コマ番号の順に撮影画像を順次表示させるものが一般的であり（例えば、特許文献１）、このように順次表示される表示画像に対して適宜プリント設定を行うことになる。
【０００４】
このような技術に関する先行技術文献としては、以下のようなものがある。
【０００５】
【特許文献１】特開２００１−０２４９２７号公報
【発明の開示】
【発明が解決しようとする課題】
【０００６】
しかしながら、上述した一般的なデジタルカメラでは、再生モードにおいて、単にコマ番号の順に撮影画像を表示するだけで、プリント設定に関しては、表示画面上において表示画像に対するプリント設定の有無を表す情報等が表示されるのみで、特にプリント設定の操作性に対しては考慮はなされていなかった。したがって、ユーザーは、既にプリント設定された撮影画像も含めてコマ番号の順に撮影画像を視認しなくては、プリント設定の対象画像を特定することができず、プリント設定を効率良く実施することができなかった。
【０００７】
本発明は、上記課題に鑑みてなされたものであり、効率良くプリント設定することができるデジタルカメラを提供することを目的とする。
【課題を解決するための手段】
【０００８】
上記の課題を解決するために、請求項１の発明は、撮影画像と、当該撮影画像に対するプリント設定の情報とを記録手段に記録するデジタルカメラであって、前記記録手段に記録される一以上の撮影画像に対するプリント設定を行い、当該プリント設定に関する情報をプリント情報データとして前記記録手段に記録させるように制御する情報記録制御手段と、前記記録手段に記録された撮影画像の再生表示を含む再生表示画面を表示する表示手段と、前記表示手段による表示画面を前記再生表示画面に遷移させる画面遷移操作を受け付ける画面遷移操作受付手段と、前記表示画面が前記再生表示画面に遷移する際、前記プリント情報データを参照して、前記記録手段に記録された複数の撮影画像のうちのプリント設定が行われていないプリント未設定画像の再生表示を含む再生表示画面を、前記表示手段が優先的に表示するように制御する表示制御手段とを備えることを特徴とする。
【０００９】
また、請求項２の発明は、請求項１に記載のデジタルカメラであって、前記再生表示画面が、前記記録手段に記録された撮影画像に対するプリント設定を実施するためのプリント設定画面であることを特徴とする。
【００１０】
また、請求項３の発明は、請求項１または請求項２に記載のデジタルカメラであって、前記表示制御手段が、前記記録手段に含まれる所定の画像記録領域に記録された全ての撮影画像に対してプリント設定が完了している場合は、前記表示画面が前記再生表示画面に遷移する際、前記所定の画像記録領域に記録された全ての撮影画像のうち、最先または最後に記録された撮影画像の再生表示を含む再生表示画面を、前記表示手段が表示するように制御することを特徴とする。
【００１１】
また、請求項４の発明は、請求項１から請求項３のいずれかに記載のデジタルカメラであって、前記表示手段が前記プリント未設定画像の再生表示を含む再生表示画面を優先的に表示した優先表示状態において、当該表示手段によって表示される前記プリント未設定画像に対して特定のプリント設定条件を設定する設定手段をさらに備えることを特徴とする。
【００１２】
また、請求項５の発明は、請求項４に記載のデジタルカメラであって、前記優先表示状態においてプリント設定に関わる所定操作を受け付ける所定操作受付手段をさらに備え、前記情報記録制御手段が、前記優先表示状態における前記所定操作に応答して、前記特定のプリント設定条件を前記記録手段に記録させ、前記所定操作に応答するまでは、前記特定のプリント設定条件を前記記録手段に記録させないように制御することを特徴とする。
【００１３】
また、請求項６の発明は、請求項２に記載のデジタルカメラであって、被写体に係る撮影画像を取得する撮影モードと、前記記録手段に記録された撮影画像を前記表示手段によって再生表示する再生モードとを含む複数のモードから、前記記録手段に記録された撮影画像に対するプリント設定を行うためのプリントモードへモード遷移させるモード遷移操作を受け付けるモード遷移操作受付手段を備え、前記表示制御手段が、前記撮影モードから前記プリントモードに遷移して前記表示画面が前記プリント設定画面に遷移する際には、前記プリント情報データを参照して、前記表示手段が前記プリント未設定画像の再生表示を含むプリント設定画面を優先的に表示する一方で、前記再生モードから前記プリントモードに遷移して前記表示画面が前記プリント設定画面に遷移する際には、前記プリント情報データの内容に拘わらず、前記画面遷移操作が行われた際に前記再生モードにおいて前記表示手段により再生表示されていた撮影画像に対応するプリント設定画面を前記表示手段が表示するように制御することを特徴とする。
【００１４】
また、請求項７の発明は、請求項１から請求項６のいずれかに記載のデジタルカメラであって、前記表示手段によって再生表示される撮影画像を、現在再生表示されている前記記録手段に記録された撮影画像から前記記録手段に記録された他の撮影画像に変更する表示画像変更操作を受け付ける画像変更操作受付手段をさらに備え、前記表示制御手段が、前記表示手段による再生表示画面上に前記記録手段に記録されたプリント未設定画像が表示されている際に、前記表示画像変更操作に応答して、前記再生表示画面において次に再生表示される撮影画像が前記記録手段に記録された他のプリント未設定画像となるように制御することを特徴とする。
【００１５】
また、請求項８の発明は、請求項１から請求項７のいずれかに記載のデジタルカメラであって、前記記録手段に含まれる所定の画像記録領域に記録された全ての撮影画像に対してプリント設定が完了したことを、所定のタイミングにおいて報知する報知手段をさらに備えることを特徴とする。
【発明の効果】
【００１６】
以上説明したように、請求項１に記載された発明によれば、表示画面が再生表示画面に遷移する際に、プリント設定に係る情報を参照して、複数の記録画像のうち、プリント設定が行われていない撮影画像を優先的に再生表示するような構成とすることにより、プリント設定が行われていない撮影画像を効率良く見つけ出すことができるため、効率良くプリント設定をすることができる。
【００１７】
また、請求項２に記載された発明によれば、プリント設定を行うための画面に遷移した際に、プリント設定が行われていない撮影画像を優先的に再生表示するような構成とすることにより、プリント設定が行われていない撮影画像を効率良く見つけ出すことができるため、効率良くプリント設定をすることができる。
【００１８】
また、請求項３に記載された発明によれば、所定の画像記録領域に記録された全ての撮影画像に対してプリント設定が完了している場合は、撮影画像の再生表示を開始する際に、所定の画像記録領域に記録された全撮影画像のうち、最先または最後に記録された撮影画像の再生表示を行うため、プリント設定が可能な画像が表示されず、プリント設定ができないといった不具合を防止することができる。
【００１９】
また、請求項４に記載された発明によれば、プリント設定が行われていない撮影画像を優先的に再生表示した際に、再生表示に係る撮影画像に対して特定のプリント設定の条件を自動的に設定するため、少ない操作でプリント設定が可能となる。
【００２０】
また、請求項５に記載された発明によれば、プリント設定が行われていない撮影画像を優先的に再生表示した時点では、再生表示に係る撮影画像に対して特定のプリント設定条件が自動的に設定されるものの当該特定のプリント設定条件は記録手段へ記録されず、プリント設定に関わる所定の操作に応答して当該プリント設定条件が記録手段へ記録されるような構成とすることにより、プリント設定条件の記録の可否について選択の余地が与えられるため、プリント設定に関する操作性を向上させることができる。
【００２１】
また、請求項６に記載された発明によれば、撮影モードからプリントモードに遷移した際には、プリント設定が行われていない撮影画像が優先的に再生表示される一方、再生モードからプリントモードに遷移した際には、プリント設定に係る情報に拘わらず、再生モードにおいて再生表示されていた撮影画像に対応するプリント設定画面を表示するため、現在視認している再生画像に対してプリント設定したいというユーザの意図を良く反映させることができ、プリント設定の操作性がさらに向上する。
【００２２】
また、請求項７に記載された発明によれば、プリント未設定画像が再生表示されている状態で、コマ送り又はコマ戻し等といった表示画像を変更する操作がなされると、次のプリント未設定画像が表示されるため、効率良くプリント設定を行うことができる。
【００２３】
また、請求項８に記載された発明によれば、所定の画像記録領域に記録された全ての撮影画像に対してプリント設定が完了したことを所定のタイミングにおいて報知するため、プリント設定が一通り完了したことを容易に把握することができる。
【発明を実施するための最良の形態】
【００２４】
以下、本発明の実施形態を図面に基づいて説明する。
【００２５】
＜構成概要＞
図１および図２は、本発明の実施形態に係るデジタルカメラ１の外観構成を示す図である。図１は正面側からみた概略斜視図であり、図２は背面側からみた概略斜視図である。
【００２６】
図１および図２に示すように、デジタルカメラ１は、薄型の略直方体形状を有している。
【００２７】
図１に示すように、デジタルカメラ１は、その正面側に撮影レンズ２と光学ファインダー４とフラッシュ６とを備えており、その上面側に電源ボタン３とシャッターボタン（レリーズボタン）９とマイク１２とを備えている。また、図２に示すように、デジタルカメラ１は、その背面側に液晶表示部（以下、ＬＣＤという。）５とボタン群７，８とモード切替ボタン１１とプリントボタン１３とを備えている。ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、ボタン群８はメニューボタン８ａと液晶モニターボタン８ｂとフラッシュモードボタン８ｃとを有している。さらに、図１および図２に示すように、デジタルカメラ１は、その側方の面に蓋１４とＤＣ入力端子１５とＵＳＢ端子１６とＡＶ出力端子１７とを備えている。
【００２８】
後述するように、デジタルカメラ１は、撮影レンズ２からの被写体像をＣＣＤ（撮像素子）２０（図３）によって光電変換すること等によって、被写体に関する画像データを取得する。
【００２９】
また、電源ボタン３は、電源のオン操作およびオフ操作を受け付けるために用いられる。具体的には、電源ボタン３を押下するごとにオン状態への移行とオフ状態への移行とが交互に繰り返される。
【００３０】
シャッターボタン９はユーザー（操作者）による半押し状態（以下、Ｓ１状態とも称する）と全押し状態（以下、Ｓ２状態とも称する）とを区別して検出可能な２段階押し込みスイッチとなっており、Ｓ１状態のときに自動合焦制御を開始し、Ｓ２状態のときに記録用画像を撮影するための本撮影動作を開始する。
【００３１】
ＬＣＤ５は、本撮影動作前のプレビュー表示（ライブビュー表示とも称する）及び記録画像の再生表示等を行う。このＬＣＤ５は、所定数（ここでは３２０×２４０）の表示画素を有しており、カラー画像を表示することができる。
【００３２】
ライブビュー表示では、デジタルカメラ１の電源オン後や本撮影が完了すると、１／３０秒ごとに低解像度で被写体の撮像を繰り返し、撮像画像をＬＣＤ５に動画的態様で表示する。これにより、操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００３３】
また、モード切替ボタン１１は、これを押下することにより、１コマ撮影モード、連写モード、動画モードおよび再生モードをサイクリックに切り替えられる（図２３参照）。ここで、１コマ撮影モード、連写モードおよび動画モードは、撮影モードに含まれる。この１コマ撮影モードとは、１コマ分の撮影を行うモードであり、連写モードとは、短時間で連続して複数コマの撮影を行うモードであり、動画モードとは、動画像を撮影するためのモードであり、再生モードとは、メモリカード９０に記録された撮影画像をＬＣＤ５に再生表示するモードである。本実施形態のデジタルカメラ１では、電源ボタン３の押下による電源オン時には撮影モードに設定されているが、モード切替ボタン１１を押下することよって再生モードに切替えることができ、さらにモード切替ボタン１１を押下することにより撮影モードの１コマ撮影モードに移行する。
【００３４】
なお、以下では、１コマ撮影モード、連写モード、および動画モードの３つの撮影に係るモードを必要に応じて「撮影モード」と総称する。
【００３５】
メニューボタン８ａは、ＬＣＤ５へのメニューの表示および非表示を切り替える機能を有している。たとえば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行される。このような操作によって、各種撮影パラメータの設定等を行うことが可能である。
【００３６】
液晶モニターボタン８ｂは、液晶モニタであるＬＣＤ５の表示・非表示を切り替えるためのボタンである。液晶モニターボタン８ｂが押下されるごとに、ＬＣＤ５に画像等が表示された状態（表示状態）と表示されない状態（非表示状態）とが交互に切り替わる。非表示状態にしておけば消費電力を低減できる。
【００３７】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００３８】
また、マイク１２は、動画撮影、ボイスメモ、ボイスレコーディング、アフターレコーディング（アフレコ）時において、音声データを取得する（録音する）ために用いられる。
【００３９】
プリントボタン１３は、プリントモード（後述）に移行させるためのボタンであり、撮影モードや再生モードにおいて、プリントボタン１３を押下することにより、プリントモードに移行させることができる。つまり、ここでは、プリントボタン１３が、被写体に係る撮影画像を取得する撮影モードと、メモリカード９０に記録された撮影画像をＬＣＤ５によって再生表示する再生モードとを含む複数のモードから、撮影画像に対するプリント設定を行うためのプリントモードへモード遷移させるユーザーによる操作（モード遷移操作）を受け付ける。そして、プリントモードでは、メモリカード９０内に記録される撮影画像に対してプリント設定をするために、撮影画像の表示を伴う画面（プリント設定画面）をＬＣＤ５に表示する。つまり、ここでは、ＬＣＤ５が、メモリカード９０に記録される撮影画像の再生表示を含む画面（ここでは、プリント設定画面）を表示する。そして、プリントボタン１３が、ＬＣＤ５による表示画面をプリント設定画面に遷移させる所定の押下操作を受け付ける。
【００４０】
蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカード９０を装着するメモリカード装着部とが設けられている。電源電池ＢＴおよびメモリカード９０は、それぞれ、電池室およびメモリカード装着部に対して着脱自在に装着される。本撮影によって得られる画像データおよび後述するプリント注文ファイル等は、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００４１】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００４２】
ＡＶ出力端子１７は、テレビ等の外部映像音響機器（ＡＶ機器）に接続するための端子である。所定のＡＶコードをこのＡＶ出力端子１７と外部映像音響機器側の入力端子とを接続することによって、その外部映像音響機器に画像および／または音声を出力することができる。
【００４３】
次に、図３を参照しつつ、デジタルカメラ１の内部構成について説明する。図３は、デジタルカメラ１の内部機能を示すブロック図である。
【００４４】
ＣＣＤ（撮像素子）２０は、被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００４５】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００４６】
Ａ／Ｄ変換器２２は、画像信号の各画素信号を例えば１２ビットのデジタル信号に変換するものである。変換後のデジタル信号は、画像データ（撮影画像）として一時的にＲＡＭ５０ａ内のバッファメモリ５４に格納（記憶）される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００４７】
また、マイク１２から得られる音声信号は、音声処理部５３に入力される。音声処理部５３入力された音声信号は音声処理部５３内に設けられたＡ／Ｄ変換器（不図示）によりデジタル信号に変換され、一時的にバッファメモリ５４に格納される。
【００４８】
操作部３０は、上述した電源ボタン３、ボタン群７、８、シャッターボタン９、モード切替ボタン１１等を含む操作部であり、ユーザーがデジタルカメラ１の設定状態を変更操作する際や撮影操作を行う際等に用いられる。
【００４９】
電源４０は、デジタルカメラ１に対する電力供給源である。デジタルカメラ１は、リチウムイオン電池等の二次電池を電源電池ＢＴとして用いて駆動される。
【００５０】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００５１】
全体制御部５０は、画像処理部５１、圧縮／伸張部５２および音声処理部５３を有している。これらの各処理部５１，５２，５３は、マイクロコンピュータが所定のプログラムを実行することにより実現される機能部である。
【００５２】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式等が採用される。音声処理部５３は、音声データに対する各種のデジタル処理を施す処理部である。
【００５３】
このような構成を有する全体制御部５０によって、撮影モード、再生モードおよびプリントモードでの処理が行われる。例えば、撮影モードにおいてシャッターボタン９が操作者によって半押し（Ｓ１状態）されると、ＣＣＤ２０から出力される画像データに基づきＡＦ評価値を求め、周知の山登り方式によって合焦位置に撮影レンズを移動させる。また、ＣＣＤ２０で読みとった被写体の輝度情報に基づいて、本撮影時のシャッタースピードと絞り値とオートホワイトバランスのゲイン設定値とを決定する。
【００５４】
一方、全体制御部５０は、撮影モードにおいてシャッターボタンが全押し（Ｓ２状態）されると、ＣＣＤ２０の解像度を高解像度に設定した後に被写体を撮像し、ＣＣＤ２０で取得された撮影画像に基づき圧縮／伸張部５２で圧縮画像を生成する。そして、圧縮された高解像度の画像データ（撮影画像）は、記録媒体として機能するメモリカード９０に記録されることとなるが、このメモリカード９０におけるデータ構造を以下で説明する。
【００５５】
図４はメモリカード９０内のデータ配列を示す図である。メモリカード９０には、デジタルカメラ１によって記録された静止画像および動画像の各コマが順に配列して記録される。各コマは、ファイル属性ＡＴとタグ情報ＴＧとＪｐｅｇ形式で圧縮された高解像度画像データＨＤ(１６００×１２００画素)とサムネイル表示用のサムネイル画像データＳＤ（３２０×２４０画素)とが記録されている。このファイル属性ＡＴでは、読み取り専用属性、アーカイブ属性、システムファイル属性および隠しファイル属性が設定可能となっている。なお、ユーザーによってファイルのプロテクトが設定された場合には、上記の読み取り専用属性が設定される。また、タグＴＧでは、ファイル名、撮影日時、撮影に使用したデジタルカメラのシリアルナンバーおよび画像データに関連付けされた音声ファイルの情報（ファイル名等）が記録されている。
【００５６】
また、メモリカード９０には、暗号化されているプリント単価設定情報が、枚数と単価との関係を記述したテーブルＴＢとして記録されている。このプリント単価テーブルＴＢを参照し、例えばプリントサイズがＬ版で９枚以下の場合には、プリント単価が￥４０に設定され、例えばプリントサイズが２Ｌ版で５０枚以上の場合にはプリント単価が￥５０に設定される。これにより、後述するようにプリント料金をＬＣＤ５に表示できる。
【００５７】
また、モード切替ボタン１１の押下によって撮影モードから再生モードに移行すると、メモリカード９０内で最も大きなコマ番号の画像つまり直近に撮影された画像のデータが読み出された後、圧縮／伸張部５２でデータ伸張され、ＬＣＤ５に画像表示される。この再生モードでは、左ボタン７ｃ・右ボタン７ｄの押下によりコマの送り・戻しが可能である。つまり、左ボタン７ｃ・右ボタン７ｄが、ＬＣＤ５によって再生表示される撮影画像を、現在再生表示されている撮影画像（すなわち、後述するメモリカード９０内の画像フォルダＦａ１に記録された一の撮影画像）から画像フォルダＦａ１に記録された他の撮影画像に変更するための操作（表示画像変更操作とも称する）を受け付ける手段として機能する。なお、後述するプリントモードにおいても、左ボタン７ｃ・右ボタン７ｄが同様な機能を有する。
【００５８】
カードインタフェース（カードＩ／Ｆ）６０は、デジタルカメラ１側面の挿入装着部に対して装着されるメモリカード９０への画像データの書込み及び読出しを行うためのインタフェースである。
【００５９】
メモリカード９０に対する画像データの読み書き時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００６０】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新すること等が可能である。
【００６１】
また、ＵＳＢ端子１６等を介した外部機器（外部コンピュータ等）との通信によっても、画像あるいは音声等の各種のデータ、および制御プログラム等を送受信することが可能である。たとえば、外部コンピュータの読取装置（光学ドライブ装置等）にセットされた記録媒体（ＣＤ−Ｒ／ＲＷ、ＣＤ−ＲＯＭ等）に記録された各種のデータおよびプログラム等を、ＵＳＢ端子１６を介して取得することが可能である。
【００６２】
＜プリントモードについて＞
プリントボタン１３がユーザーによって押下されると、プリント設定を行うためのプリントモードに移行する。このプリントモードでは、プリント設定に関するプリント注文ファイルが作成されるが、このプリント注文ファイルを以下で説明する。
【００６３】
＜プリント注文ファイルを含むメモリカードの記録内容＞
図５は、メモリカード９０内のフォルダおよびファイル構成を示す図である。
【００６４】
メモリカード９０には、画像ファイルを記録する撮影画像フォルダＦａと、撮影画像フォルダＦａに記録される画像ファイルに対するプリント設定の情報を記録するプリント注文フォルダＦｂとが格納される。
【００６５】
撮影画像フォルダＦａには、例えば、デジタルカメラの各製造メーカーにそれぞれ対応する画像フォルダＦａ１および画像フォルダＦａ２が格納されており、各製造メーカのデジタルカメラでそれぞれ作成される画像ファイルが対応する画像フォルダＦａ１および画像フォルダＦａ２にそれぞれ記録される。つまり、メモリカード９０が、画像を記録する領域（画像記録領域）としての画像フォルダＦａ１，Ｆａ２を有し、撮影画像を記録する手段として機能する。
【００６６】
なお、本実施形態では、デジタルカメラ１による撮像によって取得・作成される複数の画像ファイルＧｆは、画像フォルダＦａ１に記録されるものとする。すなわち、本実施形態では、画像フォルダＦａ１がこの発明における「所定の画像記録領域」に相当する。
【００６７】
一方、プリント注文フォルダＦｂには、撮影画像フォルダＦａに格納される画像ファイルＧｆに対するプリント注文に係る情報を記録するプリント注文ファイルＰｆが格納される。よって、ここでは、メモリカード９０が、撮影画像に対するプリント設定の情報を記録する手段として機能する。そして、全体制御部５０による制御の下で、撮影画像フォルダＦａ１に記録される一以上の撮影画像に対してプリント設定が行われると、当該プリント設定の情報に基づいてプリント注文ファイルＰｆが作成され、メモリカード９０に記録される。つまり、プリント設定に関する情報がプリント注文ファイルＰｆとしてメモリカード９０に記録される。なお、本実施形態では、プリント注文ファイルＰｆがこの発明における「プリント情報データ」に相当する。
【００６８】
このプリント注文ファイルＰｆは、図６に示すように、一般情報Ｄｆ１、ユーザー情報Ｄｆ２、プリントジョブ情報Ｄｆ３、画像ソース情報Ｄｆ４、各種設定情報Ｄｆ５およびベンダー機能に係る情報Ｄｆ６等の各種プリント設定に関する情報で構成される。ここで、ベンダー情報Ｄｆ６は、例えばデジタルカメラを製造するメーカー各社で独自に定義する情報である。
【００６９】
以上のプリント注文ファイルＰｆにより、プリント注文時のユーザーの労力を削減できるが、このプリント注文ファイルＰｆにおける各種の情報Ｄｆ１〜Ｄｆ６に記録するためのプリント設定画面を、以下で説明する。
【００７０】
＜プリント設定画面＞
図７は、プリント設定画面を説明するための図である。
【００７１】
ＬＣＤ５に表示されるプリント設定画面Ｇｐでは、プリント対象の画像Ｇｑに重畳して、プリント注文する画像の合計枚数を表示する合計枚数表示Ｇｐ１と、現在ＬＣＤ５に表示されている画像に対するプリント注文枚数を表示する注文枚数表示Ｇｐ２とが表示される。
【００７２】
一方、プリントボタン１３の押下によってプリントモードに移行すると、フラッシュモードボタン８ｃが保留ボタンとして機能し、且つ、液晶モニターボタン８ｂが削除ボタンとして機能する。そして、プリント設定画面Ｇｐにおいては、これらの機能が割り付けられたことを明示する「保留」表示Ｇｐ３および「削除」表示Ｇｐ４が表示される。
【００７３】
デジタルカメラ１においては、プリントイメージを優先するためにプリントサイズの縦横比に則して画像Ｇｑを表示するが、ＬＣＤ５の画面サイズおよびプリントサイズの縦横比が相違する場合には、例えばＬＣＤ５の画面の両端に余白部分Ｇｐｅ(平行斜線部)を表示して調整する。また、画像Ｇｑに対して撮影した日付の写し込みを行う場合には、写し込まれる画像の箇所に例えば「'03/5/7」のように日付表示Ｇｐ５を表示する。
【００７４】
そして、図７に示すプリント設定画面Ｇｐにおいて、後述するように右ボタン７ｄまたはプリントボタン１３が押下されることによって、図８に示すように次の画像(コマ)Ｇｒが表示されることとなる。
【００７５】
＜プリントモードにおける動作＞
次にプリントモードにおける動作について説明する。
【００７６】
本発明の実施形態に係るデジタルカメラ１では、撮影モードからプリントモードに遷移した際に、プリント設定が未だなされていない撮影画像（プリント未設定画像）を優先的に表示することで、ユーザーがプリント設定を容易に行うことができるように構成されている。以下、この点を明らかにしつつ、プリントモードにおける動作について説明する。
【００７７】
プリント設定画面Ｇｐ(図７)をＬＣＤ５に表示するプリントモードにおける動作を説明するための図を、図９〜図１５に示している。図９が、プリントモードにおいて表示される撮影画像の順番（画像表示順）を設定する動作フローを示すフローチャートであり、図１０および図１２が、表示画像のコマ送り・戻し動作フローを示すフローチャートであり、図１１が、画像表示順の並び替えについて説明するための図である。また、図１３は、ユーザー操作に対する画面遷移の関係を示しており、図１４および図１５は、後述する表示順番号(ａ)の画像を表示するプリント設定画面ＧＮ１１を中心として各画面に遷移する様子を示している。
【００７８】
以下では、表示順番号(ａ)の画像を、プリントモードに移行した直後に表示される画像と考える。また、図１５において、参照符号がＧＮで始まるブロックは表示画面に関する状態を示しており、参照符号がＳＴで始まるブロックは、デジタルカメラ１の動作を示している。
【００７９】
まず、図９〜図１２を参照しつつ、画像表示順の設定および表示画像のコマ送り・戻し動作について説明する。
【００８０】
プリントボタン１３が押下されることにより、撮影モードからプリントモードに遷移する際に、図９に示す画像表示順の設定動作フローが実施され、設定された画像表示順に基づいて、プリントモードにおける撮影画像の表示が行われる。よって、ここでは、撮影モードにおいてプリントボタン１３が押下されると、プリントモードに遷移するために、図９に示す画像表示順の設定動作フローを開始し、ステップＳ１０１に進む。
【００８１】
ステップＳ１０１では、メモリカード９０内にプリント注文ファイルＰｆがあるか否かを判定する。ここで、プリント注文ファイルＰｆがあると判定すると、ステップＳ１０２に進む。一方、プリント注文ファイルＰｆがないと判定されると、全ての撮影画像がプリント未設定画像であるため、特にプリント未設定画像を優先的に表示することができないため、ステップＳ１０５に進む。
【００８２】
ステップＳ１０５では、最後（最大）のコマ番号を有する撮影画像（表示順番号(ａ)）が読出されるとともに、単にコマ番号の順番通りにコマ送り・戻しが可能な画像の画像表示順（表示順Ａ）が設定されて、画像表示順の設定動作フローを終了し、プリントモードに遷移する。そして、プリントモードに遷移すると、ステップＳ１０５で読み出された撮影画像を再生表示するプリント設定画面がＬＣＤ５に表示される。
【００８３】
ステップＳ１０２では、画像フォルダＦａ１内にプリント未設定画像が存在するか否かを確認し、ステップＳ１０３に進む。ここでは、プリント注文ファイルＰｆ内の情報と画像フォルダＦａ１内の撮影画像のコマ番号とを参照することで、プリント未設定画像の存否を確認することができる。
【００８４】
ステップＳ１０３では、ステップＳ１０２での確認結果に基づいて、画像フォルダＦａ１内にプリント未設定画像が存在するか否かを判定する。ここでは、プリント未設定画像が存在すると判定される場合には、ステップＳ１０４に進み、プリント未設定画像が存在しないと判定される場合には、ステップＳ１０５に進む。
【００８５】
なお、ステップＳ１０５では画像フォルダＦａ１内の最大のコマ番号を有する撮影画像が読み出され、プリントモードに移行してその読み出された画像が再生表示されたが、これに限られるものではなく、例えば、画像フォルダＦａ１内の最小のコマ番号を有する撮影画像が読み出されて再生表示されても良い。
【００８６】
つまり、全体制御部５０の制御下で、画像フォルダＦａ１内に記録された全ての撮影画像に対してプリント設定が完了している場合には、プリントモードに遷移することによってＬＣＤ５による表示画面が撮影画像を再生表示する画面（ここでは、プリント設定画面）に遷移する際に、画像フォルダＦａ１内に記録された全ての撮影画像のうち、最先または最後にメモリカード９０に記録された撮影画像の再生表示を含むプリント設定画面をＬＣＤ５が表示する。その結果、ユーザがプリントモードに遷移させてプリント設定をしたい場合に、プリント設定が可能な画像が表示されず、プリント設定ができないといった不具合を防止することができる。
【００８７】
ステップＳ１０４では、画像フォルダＦａ１内のプリント未設定画像のうちの最大のコマ番号を有する撮影画像が読出されるとともに、プリント未設定画像を優先的に表示するコマ送り・コマ戻しが可能な画像の画像表示順（表示順Ｂ）が設定されて、画像表示順の設定動作フローを終了し、プリントモードに遷移する。なお、プリントモードに遷移すると、ステップＳ１０４で読み出された撮影画像を再生表示するプリント設定画面がＬＣＤ５に表示される。
【００８８】
つまり、全体制御部５０の制御下で、ＬＣＤ５による表示画面が撮影画像を再生表示するプリント設定画面に遷移する際に、プリント注文ファイルＰｆを参照して、画像フォルダＦａ１内の全撮影画像のうち、プリント設定が未だ行われていないプリント未設定画像の再生表示を含むプリント設定画面がＬＣＤ５に優先的に表示される。その結果、プリントモードに遷移して、ＬＣＤ５の表示画面がプリント設定画面に移行して直ぐに表示されるプリント未設定画像に対して容易にプリント設定をすることができる。つまり、プリント設定が行われていない撮影画像を効率良く見つけ出すことができるため、容易かつ効率良くプリント設定をすることができる。
【００８９】
次に、表示順Ａに設定されている際のプリントモードにおけるコマ送り・コマ戻し動作について説明する。表示順Ａが設定されてプリントモードに遷移すると、図１０に示すコマ送り・コマ戻し動作フローが開始され、ステップＳ１１１に進む。
【００９０】
ステップＳ１１１では、右ボタン７ｄが押下されたか否かを判定する。ここで、右ボタン７ｄが押下されたと判定されれば、ステップＳ１１２に進み、右ボタン７ｄが押下されていないと判定されれば、ステップＳ１１３に進む。
【００９１】
ステップＳ１１２では、画像フォルダＦａ１内に格納される撮影画像のうち、現在表示されている撮影画像の次のコマ番号を有する撮影画像を読出し、その読み出された画像が表示されるプリント表示画面がＬＣＤ５に表示され、ステップＳ１１１に戻る。なお、ステップＳ１１２に進む直前における表示画像が画像フォルダＦａ１内でコマ番号が最大の画像であれば、ステップＳ１１２において、画像フォルダＦａ１内でコマ番号が最小の画像が表示されるプリント表示画面がＬＣＤ５に表示されるようにしても良い。
【００９２】
ステップＳ１１３では、左ボタン７ｃが押下されたか否かを判定する。ここで、左ボタン７ｃが押下されたと判定されれば、ステップＳ１１４に進み、左ボタン７ｃが押下されていないと判定されれば、ステップＳ１１１に戻る。
【００９３】
ステップＳ１１４では、画像フォルダＦａ１内に格納される撮影画像のうち、現在表示されている撮影画像の前のコマ番号を有する撮影画像を読出し、その読み出された画像が表示されるプリント表示画面がＬＣＤ５に表示され、ステップＳ１１１に戻る。なお、ステップＳ１１４に進む直前における表示画像が画像フォルダＦａ１内でコマ番号が最小の画像であれば、ステップＳ１１４において、画像フォルダＦａ１内でコマ番号が最大の画像が表示されるプリント表示画面がＬＣＤ５に表示されるようにしても良い。
【００９４】
次に、表示順Ｂに設定されている際のプリントモードにおけるコマ送り・コマ戻し動作について説明する。表示順Ｂに設定されると、プリント未設定画像を優先的に表示可能とするために、画像フォルダＦａ１内の撮影画像が、プリント未設定画像と、プリント設定が既になされている画像（プリント既設定画像）とに区別された画像表示順が設定される。
【００９５】
ここで、図１１を参照しつつ、表示順Ｂについて説明する。
【００９６】
まず、プリント注文ファイルＰｆを参照して、画像フォルダＦａ１内の撮影画像をプリント未設定画像とプリント既設定画像とに区別し、プリント未設定画像をコマ番号の小さな方から順に並べ、その後にプリント既設定画像をコマ番号の小さな方から順に並べたような表示順Ｂを設定する。
【００９７】
具体的には、図１１に示すように、プリント未設定画像をコマ番号の小さなものから順次大きくなる順（Pict0001.jpg，pict0003.jpg，・・・，pict0018.jpg）に並べ、その後に、プリント既設定画像をコマ番号の小さなものから順次大きくなる順（Pict0002.jpg，pict0004.jpg，・・・，pict0020.jpg）に並べられるような表示順Ｂが設定される。つまり、右ボタン７ｄが押下されると、プリント未設定画像のコマ番号の小さな方から大きな方へ、プリント未設定画像のコマ番号が最大の画像の次に、プリント既設定画像のコマ番号の小さな方から大きな方へ順にコマ送り表示されるように設定される。一方、左ボタン７ｃが押下されると、プリント既設定の大きな方から小さな方へ、プリント既設定画像のコマ番号が最大の画像の次に、プリント未設定画像のコマ番号の大きな方から小さな方へ順にコマ戻し表示されるように設定される。すなわち、表示順Ｂが設定されている際には、図１１に示すような表示順Ｂにしたがって、撮影画像の実際のコマ番号とは異なるコマ送り・戻しの順番を表す番号（以下、「表示順番号」と称する）が付されているのと同様な状態に設定されるのである。
【００９８】
なお、以下で使用する表示順番号は、表示順Ａが設定されている際には、単なるコマ番号と同義であり、表示順Ｂが設定されている際には、プリントモードに遷移した際に最初に表示されるコマに対する表示順番号を(ａ)と表現し、その後、コマ送り・コマ戻しされる順に表示順番号が順次付されているように表現する。
【００９９】
次に、図１１に示す表示順Ｂに設定されている際のプリントモードにおけるコマ送り・コマ戻し動作について具体的に説明する。表示順Ｂが設定されてプリントモードに遷移すると、図１２に示すコマ送り・コマ戻し動作フローが開始され、ステップＳ１２１に進む。
【０１００】
ステップＳ１２１では、右ボタン７ｄが押下されたか否かを判定する。ここで、右ボタン７ｄが押下されたと判定されれば、ステップＳ１２２に進み、右ボタン７ｄが押下されていないと判定されれば、ステップＳ１２７に進む。
【０１０１】
ステップＳ１２２では、現在ＬＣＤ５上に表示される画像がプリント未設定画像の最終コマ（画像フォルダＦａ１内のコマ番号が最大のプリント未設定画像）であるか否か判定する。ここでは、表示画像がプリント未設定画像の最終コマであると判定されれば、ステップＳ１２３に進み、プリント未設定画像の最終コマでないと判定されれば、ステップＳ１２４に進む。
【０１０２】
ステップＳ１２３では、プリント既設定画像の先頭コマ（画像フォルダＦａ１内のコマ番号が最小のプリント既設定画像）を表示するプリント設定画面がＬＣＤ５に表示され、ステップＳ１２１に戻る。
【０１０３】
ステップＳ１２４では、現在ＬＣＤ５上に表示される画像がプリント既設定画像の最終コマ（画像フォルダＦａ１内のコマ番号が最大のプリント既設定画像）であるか否かを判定する。ここでは、表示画像がプリント既設定画像の最終コマであると判定されれば、ステップＳ１２５に進み、プリント既設定画像の最終コマでないと判定されれば、ステップＳ１２６に進む。
【０１０４】
ステップＳ１２５では、プリント未設定画像の先頭コマ（画像フォルダＦａ１内のコマ番号が最小のプリント未設定画像）を表示するプリント設定画面がＬＣＤ５に表示され、ステップＳ１２１に戻る。
【０１０５】
ステップＳ１２６では、図１１に示す表示順Ｂにしたがって、現在ＬＣＤ５上に表示される画像の次のコマ（画像）を表示し、ステップＳ１２１に戻る。
【０１０６】
ステップＳ１２７では、左ボタン７ｃが押下されたか否かを判定する。ここで、左ボタン７ｃが押下されたと判定されれば、ステップＳ１２８に進み、左ボタン７ｃが押下されていないと判定されれば、コマ送りもコマ戻しも指定されていないため、単にステップＳ１２１に戻る。
【０１０７】
ステップＳ１２８では、現在ＬＣＤ５上に表示される画像がプリント未設定画像の先頭コマ（画像フォルダＦａ１内のコマ番号が最小のプリント未設定画像）であるか否か判定する。ここでは、表示画像がプリント未設定画像の先頭コマであると判定されれば、ステップＳ１２９に進み、プリント既設定画像の先頭コマでないと判定されれば、ステップＳ１３０に進む。
【０１０８】
ステップＳ１２９では、プリント既設定画像の最終コマ（画像フォルダＦａ１内のコマ番号が最大のプリント既設定画像）を表示するプリント設定画面がＬＣＤ５に表示され、ステップＳ１２１に戻る。
【０１０９】
ステップＳ１３０では、現在ＬＣＤ５上に表示される画像がプリント既設定画像の先頭コマ（画像フォルダＦａ１内のコマ番号が最小のプリント既設定画像）であるか否かを判定する。ここでは、表示画像がプリント既設定画像の先頭コマであると判定されれば、ステップＳ１３１に進み、プリント既設定画像の先頭コマでないと判定されれば、ステップＳ１３２に進む。
【０１１０】
ステップＳ１３１では、プリント未設定画像の最終コマ（画像フォルダＦａ１内のコマ番号が最大のプリント未設定画像）を表示するプリント設定画面がＬＣＤ５に表示され、ステップＳ１２１に戻る。
【０１１１】
ステップＳ１３２では、図１１に示すような表示順Ｂにしたがって、現在ＬＣＤ５上に表示される画像の前のコマ（画像）を表示し、ステップＳ１２１に戻る。
【０１１２】
このように、表示順Ｂが設定されている場合には、画像フォルダＦａ１内にプリント未設定画像が２枚以上存在しておれば、現在プリント設定画面にプリント未設定画像が表示されている状態から、コマ送り又はコマ戻し操作によって、プリント未設定画像を順次プリント設定画面上に表示していくことが可能となる。つまり、全体制御部５０が、ＬＣＤ５による撮影画像を再生表示するプリント表示画面上に画像フォルダＦａ１に記録されたプリント未設定画像が表示されている際に、左ボタン７ｃ・右ボタン７ｄの押下操作といった表示画像を変更させる操作（表示画像変更操作とも称する）に応答して、プリント設定画面において次に再生表示される撮影画像も選択的に画像フォルダＦａ１に記録された他のプリント未設定画像となるように制御することができる。このように制御することで、プリント未設定画像を選択的に連続してプリント設定画面で表示させることができるため、プリント設定すべき対象を容易に探し出すことができ、その結果、容易かつ効率良くプリント設定を行うことができる。
【０１１３】
なお、上述したように、表示順Ｂが設定されている場合には、画像フォルダＦａ１内にプリント既設定画像が２枚以上存在しておれば、現在プリント設定画面にプリント既設定画像が表示されている状態から、コマ送り又はコマ戻し操作によって、プリント既設定画像を順次プリント設定画面上に表示していくことが可能となる。つまり、全体制御部５０が、ＬＣＤ５による撮影画像を再生表示するプリント表示画面上に画像フォルダＦａ１に記録されたプリント既設定画像が表示されている際に、左ボタン７ｃ・右ボタン７ｄの押下操作といった表示画像を変更させる操作（表示画像変更操作とも称する）に応答して、プリント設定画面において次に再生表示される撮影画像も優先的に画像フォルダＦａ１に記録されたプリント既設定画像となるように制御することができる。このように制御することで、プリント既設定画像を選択的に連続してプリント設定画面で表示させることができるため、プリント設定の結果を容易に確認することができる。その結果、容易かつ効率良くプリント設定を行うことができる。
【０１１４】
また、ここで、表示順Ｂに設定されたプリントモードにおいて、順次プリント設定を変更することができるが、このプリント設定の変更によって、プリント未設定画像およびプリント既設定画像の増減が生じる。このような場合には、その都度、プリント注文ファイルＰｆを参照して、プリント未設定画像をコマ番号の小さな方から順に並べ、その後にプリント既設定画像をコマ番号の小さな方から順に並べたような表示順Ｂを再度設定するようにするのが好ましい。このような構成とすることで、プリント設定の変更に拘わらず、プリント未設定画像を連続的に再生表示させたり、プリント既設定画像を連続的に再生表示させたりする動作を維持することができ、操作性の更なる向上を図ることもできる。
【０１１５】
以下では、図１３に記載される各項目(１)〜(１１)毎に、図１４および図１５を参照しつつプリントモードの動作を説明する。
【０１１６】
(１)左ボタン７ｃが押下されると、プリント設定画面で設定されている設定内容を確定させ、プリントモードに遷移する際に図９に示す動作フローにより設定された表示順設定（表示順Ａ又はＢ）に従って、前のコマを表示するプリント設定画面に移行する。この場合には、左ボタン７ｃが押下された際に表示されていた画像に対するプリント枚数が、プリント合計枚数に加算されて、合計枚数が更新される。
【０１１７】
すなわち、図１５に示す表示順番号(ａ)の画像を表示するプリント設定画面ＧＮ１１において、左ボタン７ｃが押下された場合には、表示順番号(ａ)の画像に対するプリント注文（プリント設定に関する情報）の記録処理（ステップＳＴ１２）を行い、表示順番号(ａ−１)の画像のプリント設定画面ＧＮ１２に移行する。
【０１１８】
具体的には、例えば、図８に示すようにプリント設定画面Ｇｐが表示される際に、左ボタン７ｃが押下された場合には、図１６に示すように、前のコマに該当する画像ＧｑがＬＣＤ５に表示されるとともに、合計枚数表示Ｇｐ１において、図８の合計枚数表示Ｇｐ１に示す「２１枚」よりも１枚増加した合計枚数「２２枚」が表示される。
【０１１９】
(２)右ボタン７ｄが押下されると、プリント設定画面で設定されている設定内容を確定させ、プリントモードに遷移する際に図９に示す動作フローにより設定された表示順設定（表示順Ａ又はＢ）に従って、次のコマを表示するプリント設定画面に移行する。この場合には、右ボタン７ｄが押下される際に表示されていた画像に対してのプリント枚数が、プリント合計枚数に加算されて、合計枚数が更新されることとなる。
【０１２０】
すなわち、図１５に示す表示順番号(ａ−１)の画像を表示するプリント設定画面ＧＮ１２において、右ボタン７ｄが押下された場合には、表示順番号(ａ−１)の画像に対するプリント注文の記録処理（ステップＳＴ１３）を行い、表示順番号(ａ)の画像のプリント設定画面ＧＮ１１に移行する。
【０１２１】
具体的には、例えば、図７に示すようにプリント設定画面Ｇｐが表示される際に、右ボタン７ｄが押下される場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【０１２２】
(３)上ボタン７ａが押下されると、図１４に示すように現在ＬＣＤ５に表示されているコマ(画像)のプリント枚数を増加させる。
【０１２３】
(４)下ボタン７ｂが押下されると、図１４に示すように現在ＬＣＤ５に表示されているコマ(画像)のプリント枚数を減少させる。ここで、プリントモードにおいてプリント設定画面が表示されると、その画面で表示されている撮影画像に対しては、自動的にプリント枚数がデフォルト値である１枚に設定された状態となる。つまり、ＬＣＤ５がプリント未設定画像の再生表示を含むプリント設定画面を優先的に表示した状態で、全体制御部５０が、ＬＣＤ５によって表示されるプリント未設定画像に対して特定のプリント設定条件（ここでは、プリント枚数＝１枚）を自動的に設定する。その結果、プリント未設定画像に対して少ない操作でプリント設定が可能となる。なお、プリント枚数のデフォルト値は上述したように１枚に設定されているのに対して、プリント枚数の下限値は０枚である。
【０１２４】
(５)メニューボタン８ａが押下されると、図１４に示すようにプリントメニュー画面(後述)をＬＣＤ５に表示する。
【０１２５】
(６)削除ボタン（液晶モニターボタン）８ｂが押下されると、現在ＬＣＤ５に表示されているコマ(画像)を削除して、次のコマを表示するプリント設定画面に移行する。この削除ボタン８ｂは、撮影された画像データを削除するファンクションキーとして機能する。ただし、プロテクトがかけられた、具体的には図４に示すファイル属性で読み取り専用属性に設定された画像の削除は行えないものとする。
【０１２６】
例えば、図１５に示す表示順番号(ａ−１)の画像を表示するプリント設定画面ＧＮ１２において、削除ボタン８ｂが押下された場合には、表示順番号(ａ−１)の画像に対する削除処理ＳＴ１４を行い、表示順番号(ａ)の画像を表示するプリント設定画面ＧＮ１１に移行する。
【０１２７】
なお、図１５に示す最大の表示順番号(ａ)の画像を表示するプリント設定画面ＧＮ１１において削除ボタン８ｂが押下された場合には、表示順番号(ａ)の画像に対する削除処理ＳＴ１１を行った後、その削除処理後の最大表示順番号(ａ−１)の画像を表示するプリント設定画面ＧＮ１２に移行する。
【０１２８】
(７)保留ボタン（フラッシュモードボタン）８ｃが押下されると、現在ＬＣＤ５に表示されているコマ(画像)のプリント枚数を０枚にして、表示順設定（表示順Ａ又はＢ）に従って、次のコマを表示するプリント設定画面に移行する。
【０１２９】
すなわち、図１５に示す表示順番号(ａ−１)の画像を表示するプリント設定画面ＧＮ１２において、保留ボタン８ｃが押下された場合には、表示順番号(ａ−１)の画像に関するプリント注文ファイルの注文内容をチェックし、プリントの注文枚数が１枚以上である場合には、表示順番号(ａ−１)の画像に関する注文内容を削除、つまりプリント枚数を０枚に設定する。そして、表示順番号(ａ)の画像のプリント設定画面ＧＮ１１に移行する。なお、プリントの注文枚数が０枚である場合には、単に表示順番号(ａ)の画像のプリント設定画面ＧＮ１１に移行する。
【０１３０】
なお、図１５に示す表示順番号(ａ)の画像を表示するプリント設定画面ＧＮ１１において、保留ボタン８ｃが押下された場合には、表示順番号(ａ)の画像に関するプリント注文ファイルの注文内容をチェックし、プリントの注文枚数が１枚以上である場合には、表示順番号(ａ)の画像に関する注文内容を削除、つまりプリント枚数を０枚に設定する。そして、ここでは、次のコマが存在していないため、表示順番号(ａ)の画像のプリント設定画面ＧＮ１１に復帰する。
【０１３１】
(８)プリントボタン１３が押下されると、プリント設定画面で設定されている設定内容を確定させ、表示順設定（表示順Ａ又はＢ）に従って、次のコマを表示するプリント設定画面に移行する。
【０１３２】
すなわち、図１５に示す表示順番号(ａ−１)の画像を表示するプリント設定画面ＧＮ１２において、プリントボタン１３が押下された場合には、表示順番号(ａ−１)の画像に対するプリント注文の記録処理（ステップＳＴ１３）を行い、表示順番号(ａ)の画像のプリント設定画面ＧＮ１１に移行する。
【０１３３】
なお、図１５に示す表示順番号(ａ)の画像を表示するプリント設定画面ＧＮ１１において、プリントボタン１３が押下された場合には、表示順番号(ａ)の画像に対するプリント注文の記録処理（ステップＳＴ１５）を行うが、次のコマが存在していないため、表示順番号(ａ)の画像のプリント設定画面ＧＮ１１に復帰する。
【０１３４】
具体的には、例えば、図７のプリント設定画面Ｇｐが表示されている時に、プリントボタン１３が押下された場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【０１３５】
このように、ＬＣＤ５がプリント未設定画像の再生表示を含むプリント設定画面を優先的に表示した状態（優先表示状態とも称する）において、右ボタン７ｄ、左ボタン７ｃ、およびプリントボタン１３が、コマ送り、コマ戻し、プリント設定の内容の確定等、プリント設定に関わる所定の操作（プリント関連所定操作とも称する）を受け付ける。そして、優先表示状態において、プリント関連所定操作に応答してプリント設定画面で設定されている特定のプリント設定条件を確定させて、そのプリント設定条件をプリント注文ファイルＰｆに記録する。なお、プリント設定画面が表示されている状態において、プリント関連所定操作に応答するまでは、プリント設定画面で設定されている特定のプリント設定条件をプリント注文ファイルＰｆに記録しない。
【０１３６】
すなわち、プリント設定が行われていない撮影画像を優先的に再生表示した時点では、再生表示に係る撮影画像に対して特定のプリント設定条件が自動的に設定されるものの、特定のプリント設定条件は注文ファイルＰｆに記録されず、特定の指定操作に応答して特定のプリント設定条件が注文ファイルＰｆに記録される。具体的には、プリント設定情報の記録の可否について、保留や削除といった選択肢を選ぶ時間と余地とがユーザーに与えられる。したがって、不要なプリント設定条件が記録されてしまって、その不要な条件を削除するための無駄な操作が発生するといった事態を防止することができる。その結果として、全体として少ない操作でプリント設定が可能となり、プリント設定に関する操作性を向上させることができる。
【０１３７】
なお、ここでは、プリント設定画面でプリント未設定画像を優先的に再生表示した状態で、特定の操作に応答して、はじめて特定のプリント設定条件をプリント注文ファイルＰｆに記録したが、プリント未設定画像が表示されてから一定時間（例えば、２秒間）経過後に特定のプリント設定条件がプリント注文ファイルＰｆに記録されるような構成としても良い。このような構成によっても、プリント設定情報の記録の可否について、保留や削除といった選択肢を選ぶ時間と余地とをユーザーに与えることができる。
【０１３８】
(９)中央(実行)ボタン７ｅが押下されると、図１４に示すような拡大プリントプレビュー画面Ｇｐｗ（図１７参照）に移行する。拡大プリントプレビュー画面Ｇｐｗでは、表示倍率が１倍の画像Ｇｑが表示されるプリント設定画面Ｇｐ１(図７参照)に対して、表示倍率が例えば２倍の画像Ｇｑｗが表示される一方、合計枚数表示Ｇｐ１や注文枚数表示Ｇｐ２等のプリント情報表示は拡大されずに表示される。この拡大プリントプレビュー画面Ｇｐｗをユーザーが視認することによって、画像の詳細な確認が行えることとなる。
【０１３９】
(１０)モード切替ボタン１１が押下されると、図１４に示すようにプリント設定画面から抜けて、例えばＲＡＭ５０ａに記憶されている遷移元モードの情報に基づき、プリント設定画面に移行する前の画面(例えば撮影モードのメニュー画面等)に遷移する。
【０１４０】
(１１)シャッターボタン９が押下されると、図１４に示すように１コマ撮影モードに移行してライブビュー表示を行う。
【０１４１】
以上で説明した図１５のステップＳＴ１２、ＳＴ１３およびＳＴ１５に関する注文記録動作を以下で説明する。
【０１４２】
＜プリント注文の記録処理の動作＞
図１８は、表示順番号(ａ)の画像に対するプリント注文の記録処理の動作を示すフローチャートである。
【０１４３】
まず、プリントボタン１３等が押下されると、メモリカード９０にプリント注文ファイルが存在するか否かを判定する（ステップＳＰ１）。ここで、プリント注文ファイルが存在する場合には、ステップＳＰ２に進み、存在しない場合にはステップＳＰ４に進む。
【０１４４】
ステップＳＰ２では、注文内容が変更されたか否かを判定する。例えば上ボタン７ａまたは下ボタン７ｂが押下されることにより、プリント枚数が増加または減少したかを判断する。ここで、注文内容が変更された場合には、ステップＳＰ３に進み、変更されていない場合には、本フローチャートを抜けてプリント注文の記録処理を終了する。
【０１４５】
ステップＳＰ３では、表示順番号(ａ)を有するプリント注文の対象画像に対する注文内容が変更された内容となるように、プリント注文ファイルの更新を行い、ステップＳＰ６に進む。
【０１４６】
ステップＳＰ４では、プリント注文ファイルを新規に作成する。これにより、その後、プリントボタン１３が押下されてプリントモードに移行した場合には、メモリカード９０内に確実にプリント注文ファイルが存在していることとなる。
【０１４７】
ステップＳＰ５では、表示順番号(ａ)を有するプリント注文の対象画像に対する注文内容をプリント注文ファイルに記録する。
【０１４８】
ステップＳＰ６では、プリント合計枚数を更新する。これにより、プリント設定画面における合計枚数表示Ｇｐ１の表示が変更される。
【０１４９】
以上のデジタルカメラ１では、左ボタン７ｃや右ボタン７ｄを押下することによって、所望の各画像について少なくとも１枚のプリント注文を行えるため、注文漏れを抑制できてユーザーの利便性が向上することとなる。
【０１５０】
＜プリントメニュー画面における動作＞
プリント設定画面においてメニューボタン８ａが押下されると、図１９に示すプリントメニュー画面Ｇｐｍに遷移するが、このプリントメニュー画面Ｇｐｍについて以下で説明する。
【０１５１】
図２０は、プリントメニュー画面Ｇｐｍで表示される各項目を説明するための図である。以下では、図２０に記載される各項目(１)〜(７)毎に、プリントメニュー画面Ｇｐｍの機能を説明する。
【０１５２】
(１)プリント初期設定が指定されると、ボタン群７を用いてプリント指定に関してデフォルトのプリント枚数またはデフォルトのプリントサイズが選択できる。すなわち、デジタルカメラ１では、デフォルトのプリント設定条件が変更可能となっている。
【０１５３】
(２)日付写し込み位置が指定されると、日付表示Ｇｐ５(図７)に対応するプリント画像への日付写し込み位置について、画像(画面)の「左下」、画像の「右下」、または日付写し込みが「なし」（禁止）を選択できる。
【０１５４】
(３)日付写し込み形式が指定されると、「YY/M/D」、「YYYY/M/D」または「和暦Y/M/D」の形式が選択できる。ただし、日付写し込み位置が「なし」に設定されている場合には、この日付写し込み形式の指定が行えない。
【０１５５】
(４)プリント合計枚数が指定されると、「料金を表示」、「枚数を表示」、「サイズ毎の枚数と合計枚数とを表示」または「表示しない」を選択できる。ここで、「料金を表示」が設定されると、図２１(ａ)に示すようにＬＣＤ５の左上に料金表示Ｇｐ１１のみが示され、「枚数を表示」が設定されると、図２１(ｂ)に示すようにＬＣＤ５の左上に合計枚数表示Ｇｐ１２のみが示される。また、「サイズ毎の枚数と合計枚数とを表示」が設定されると、図２１(ｃ)に示すようにＬＣＤ５の左上に合計枚数とＬサイズおよび２Ｌサイズそれぞれの枚数に関する表示Ｇｐ１３が示され、「表示しない」が設定されると、図２１(ｄ)に示すようにＬＣＤ５の左上に合計枚数に関する表示を行わない。なお、料金を表示する場合には、例えば、メモリカード９０内のプリント単価テーブルＴＢに基づき料金が算出される。
【０１５６】
(５)インデックスプリントが指定されると、インデックスプリントを「する」または「しない」を選択できる。
【０１５７】
(６)プリント設定のオールリセットが指定されると、「実行する」または「中止」が選択できる。ここで、「実行」が選択された場合には、全てのプリント枚数の設定がプリント初期設定で設定されたデフォルト値に戻ることとなる。
【０１５８】
(７)削除画像の復活が指定されると、「実行する」または「中止」が選択できる。ここで、「実行」が選択された場合でも、メモリカードの容量を有効に活用するため、復活できる画像は直前に削除した画像のみとなっている。
【０１５９】
＜デジタルカメラ１全般の動作について＞
以上ではプリントモードに関する動作を説明したが、このプリントモードと他のモード（撮影モードや再生モード）との関係等デジタルカメラ１全般の動作について、以下で説明する。
【０１６０】
＜基本的な状態遷移＞
図２２は、デジタルカメラ１の基本的な動作を示す状態遷移図である。
【０１６１】
まず、デジタルカメラ１の電源がオフの状態から電源ボタン３が押下されるとＲＯＭ５０ｂに記憶されている起動時のモードを判別する状態ＳＴ３１に遷移する。なお、デジタルカメラ１の出荷時には、起動時に１コマ撮影モードへ遷移するように設定されている。
【０１６２】
そして、状態ＳＴ３１で判別されたモードに設定される状態ＳＴ３２に移行する。ここで、デジタルカメラ１のモードとしては、上述したプリントモード、撮影モード（１コマ撮影モード、動画モード、連写モード）および再生モードがあるが、モード切替ボタン１１またはプリントボタン１３の押下によって、これら５種類のモードの切り替えを実施することができる。この状態ＳＴ３２においてメニューボタン８ａが押下された場合には、各モードに応じた各種のメニュー設定ができる画面をＬＣＤ５に表示する状態ＳＴ３３に移行する。
【０１６３】
一方、状態ＳＴ３２において、電源ボタン３が押下されると、現在設定されているモードをＲＯＭ５０ｂに記憶する状態ＳＴ３４を経由して、デジタルカメラ１の電源がオフされる。
【０１６４】
次に、上述した５種類のモードのうちプリントモードと、他の４種類のモードとの関係を、状態遷移を表す図２３を参照して説明する。
【０１６５】
１コマ撮影モード、連写モード、動画モードおよび再生モードに設定された状態ＧＮ８１〜８４においては、モード切替ボタン１１の押下によってサイクリックにモード切替が行えるようになっている。なお、動画モードに設定された状態ＧＮ８３から再生モードに設定された状態ＧＮ８４に移行する場合には、画像フォルダＦａ１に記録されるコマ番号の最も大きな撮影画像がＬＣＤ５に表示される。以下、再生モードにおいては、画像フォルダＦａ１内の撮影画像を再生表示するものとする。
【０１６６】
１コマ撮影モード、連写モードおよび動画モードに設定された状態ＧＮ８１〜８３において、プリントボタン１３が押下されると、後で詳述するエラーチェックＳＴ４１を経て、プリントモードに設定された状態ＧＮ８５に遷移する。ここで、状態ＧＮ８５に遷移した直後には、表示順設定（表示順Ａ又はＢ）に従って、撮影画像を表示するプリント設定画面がＬＣＤ５に表示される。なお、図９に示す表示順設定動作フローは、エラーチェックＳＴ４１で行われる。エラーチェックの動作についてはさらに後述する。
【０１６７】
また、再生モードに設定された状態ＧＮ８４において、プリントボタン１３が押下されると、プリントモードに設定された状態ＧＮ８５に遷移する。ここで、状態ＧＮ８５に遷移した直後には、状態ＧＮ８４でＬＣＤ５に表示されていた再生画像と同一の画像が表示される。この状態ＧＮ８４において、シャッターボタン９が押下されると、１コマ撮影モードに設定された状態ＧＮ８１に移行する。
【０１６８】
つまり、全体制御部５０の制御下で、撮影モードからプリントモードに遷移してＬＣＤ５による表示画面がプリント設定画面に遷移する際には、プリント注文ファイルＰｆ内の情報を参照して、ＬＣＤ５がプリント未設定画像の再生表示を含むプリント設定画面を優先的に表示する。その一方で、再生モードからプリントモードに遷移してＬＣＤ５による表示画面がプリント設定画面に遷移する際には、プリント注文ファイルＰｆに記録される情報の内容に拘わらず、再生モードでプリントボタン１３の押下操作が行われた際に再生モードにおいてＬＣＤ５により表示再生されていた撮影画像に対応するプリント設定画面をＬＣＤ５が表示する。このような構成とすることによって、現在視認している再生画像に係るプリント設定画面に移行させて、プリント設定したいというユーザーの意図を良く反映させることができる。その結果、プリント設定の操作性がさらに向上する。
【０１６９】
プリントモードが設定される状態ＧＮ８５において、プリントボタン１３が押下されても、上述したようにプリント注文内容が更新される等の処理が行われてプリントモードの設定が維持される。一方、状態ＧＮ８５において、シャッターボタン９が押下された場合には、１コマ撮影モードに設定された状態ＧＮ８１に移行することとなる。
【０１７０】
＜エラーチェック動作＞
図２４は、上記の状態ＳＴ４１に対応するエラーチェックの動作を示すフローチャートである。
【０１７１】
まず、メモリカード９０（ここでは、画像フォルダＦａ１）に撮影画像が保存されているか否かを判定する（ステップＳＴ５１）。ここで、撮影画像が保存されている場合には、ステップＳＴ５２に進み、保存されていない場合には、ステップＳＴ５３に進む。
【０１７２】
ステップＳＴ５２では、図９に示す表示順設定動作が行われ、プリントモードの設定状態ＳＴ４６（図２３）に遷移する。なお、ステップＳＴ５２でプリントボタン１３が押下されても、プリントボタン１３の押下を無視してファイル読み出しを続ける。これによって、モードを切り替えたいというユーザの意図を優先させることができる。
【０１７３】
ステップＳＴ５３では、エラーチェック状態ＳＴ４５に遷移する前の遷移元のモード（１コマ撮影モード、連写モードまたは動画モード）を記憶し、ステップＳ５４に進む。
【０１７４】
ステップＳＴ５４では、「メモリカードに画像がありません」という警告表示をＬＣＤ５で行う。そして、２秒が経過するか、実行(中央)ボタン７ｅ、プリントボタン１３またはモード切替ボタン１１が押下されるかでステップＳＴ５３で記憶した遷移元のモードに復帰する。
【０１７５】
以上のエラーチェックの動作により、メモリカード９０内に撮影画像がない場合にプリントモードに移行するのを防止できる。
【０１７６】
＜再生モードからプリントモードへの遷移＞
次に、再生モードにおけるデジタルカメラ１の各状態において、プリントボタン１３が押下された場合の処理を、図２５に記載される各項目(１)〜(６)毎に説明する。
【０１７７】
(１)再生メニューを表示中において、プリントボタン１３が押下されると、直ちにプリント設定画面Ｇｐ(図７)に移行する。
【０１７８】
(２)スライドショーの途中において、プリントボタン１３が押下されると、スライドショーを中断してプリント設定画面Ｇｐに移行する。
【０１７９】
(３)動作再生の途中において、プリントボタン１３が押下されると、動画再生を中断し、現在再生している動画の次のコマ(静止画)を表示するプリント設定画面Ｇｐに移行する。これは、動画はプリントの指定を行えないためである。なお、次の静止画が存在しない場合には、動画の前のコマ(静止画)を表示するようにする。
【０１８０】
(４)コマ送りや拡大表示、画像処理等によるファイルアクセス(読み出し)の途中において、プリントボタン１３が押下されると、ファイルアクセスを中断して、プリント設定画面Ｇｐに移行する。なお、モードの遷移が途中の場合には、ファイルアクセス（データ読み出し）を優先し、モードの遷移完了によるファイルアクセス完了後にプリント設定画面Ｇｐに移行する。
【０１８１】
(５)画像処理やコピー、削除、プロテクトの設定、プリント注文ファイルの更新等によるファイルアクセス(書き込み)の途中において、プリントボタン１３が押下されても無視する。
【０１８２】
(６)アフレコ(After Recording)の途中において、プリントボタン１３が押下されると、アフレコを中断して、中断前までの音声記録が完了した後に、アフレコの対象となっているコマのプリント設定画面Ｇｐに移行する。
【０１８３】
＜再生モードにおけるデジタルカメラ１の動作＞
図２６および図２７は、再生モードにおけるデジタルカメラ１の動作を説明するための図である。これらの図において、参照符号がＧＮで始まるブロックはデジタルカメラの状態を示しており、参照符号がＳＴで始まるブロックは、デジタルカメラ１の処理を示している。
【０１８４】
図２６に示すように動画モードが設定される状態ＧＮ６１においてモード切替ボタン１１が押下されると、メモリカード９０（ここでは、画像フォルダＦａ１）に撮影画像が保存されているかを判定する処理ＳＴ６１を行う。この処理ＳＴ６１で、撮影画像が保存されている場合には、コマ番号が一番大きな画像を指定して画像ファイルを読み出す処理ＳＴ６３を行い、読み出しが完了すると、このコマ番号の画像を表示する再生モードに設定された状態ＧＮ３３に遷移する。なお、処理ＳＴ６３が行われている最中にプリントボタン１３が押下される場合でも無視して読み出し処理を継続する。
【０１８５】
一方、処理ＳＴ６１において撮影画像が保存されていない場合には、「メモリカードに画像がありません」という警告表示する状態ＧＮ６２に移行し、２秒後に動画モードに設定された状態ＧＮ６１に遷移する。なお、この状態ＧＮ６２において、プリントボタン１３が押下されても無視することとする。
【０１８６】
再生モードに設定された状態ＧＮ３３において、左ボタン７ｃ（または右ボタン７ｄ）が押下されると、前（または後）のコマ番号の画像を指定して画像ファイルを読み出す処理ＳＴ６４を行い、処理ＳＴ６４が完了すると、読み出された画像ファイルを表示する再生モードに設定された状態ＧＮ３３に遷移する。この処理ＳＴ６４の途中において、プリントボタン１３が押下されると、画像ファイルの読み出しを中断して読み出し処理直前の画像を表示するプリントモードに設定された状態ＧＮ３７に遷移する。
【０１８７】
再生モードに設定された状態ＧＮ３３において、モード切替ボタン１１が押下される場合には、１コマ撮影モードに設定された状態ＧＮ３５に遷移する。また、状態ＧＮ３３において、サムネイルの形態で画像が表示されている場合に動画のコマを指定して実行（中央）ボタン７ｅを押下すると、指定されたコマの動画再生を行う状態ＧＮ３６に移行する。この状態ＧＮ３６においてプリントボタン１３が押下されると、次のコマ番号の静止画を表示するプリントモードが設定される状態ＧＮ３９に遷移する。
【０１８８】
再生モードに設定された状態ＧＮ３３において、メニューボタン８ａが押下されると、図２７に示す再生モードのメニュー画面が表示される状態ＧＮ３４に遷移する。ここで、メニューボタン８ａが押下される場合には、図２６に示す再生モードに設定された状態ＧＮ３３に復帰する。
【０１８９】
図２７に示すように再生メニューの表示状態ＧＮ３４において、メニュー項目である「プロテクト」を選択して実行(中央)ボタン７ｅが押下された場合には、プロテクトの設定処理ＳＴ６５を行い、プロテクト設定が完了した場合には、再生メニューの表示状態ＧＮ３４に復帰する。このプロテクト設定処理ＳＴ６５の最中においてプリントボタン１３が押下された場合でも無視してプロテクト設定を継続する。
【０１９０】
また、再生メニューの表示状態ＧＮ３４において、メニュー項目である「アフレコ」を選択して実行(中央)ボタン７ｅが押下された場合には、再生画像と音声記録のプログレスバーとを表示する状態ＧＮ４０に遷移する。この状態ＧＮ４０において、アフレコが終了すると、アフレコ音声ファイルをメモリカード９０内に作成して、画像ファイルと関連付けする処理ＳＴ６６を行う。そして、アフレコ音声ファイルの作成が完了すると、再生メニューを表示する状態ＧＮ３４に移行する。一方、状態ＧＮ４０において、プリントボタン１３が押下される場合には、アフレコを中断し、中断までの音声ファイルを作成して再生画像の画像ファイルと関連付けする処理ＳＴ６８を行って、この再生画像を表示するプリントモードに設定された状態ＧＮ３７(図２６)に移行する。
【０１９１】
また、図２７に示す再生メニューの表示状態ＧＮ３４において、メニュー項目である「フォーマット」を選択して実行(中央)ボタン７ｅが押下された場合には、フォーマットを実行する処理ＳＴ６７を行い、フォーマットが完了した場合には、再生メニューの表示状態ＧＮ３４に復帰する。このフォーマット処理ＳＴ６７の最中においてプリントボタン１３が押下された場合でもこれを無視してフォーマット処理を継続する。
【０１９２】
また、再生メニューの表示状態ＧＮ３４において、メニュー項目である「スライドショー」を選択して実行ボタン７ｅが押下された場合には、スライドショーを実行する状態ＧＮ３８に移行する。この状態ＧＮ３８においてスライドショーが終了した場合、およびメニューボタン７ｅが押下された場合には、再生メニューの表示状態ＧＮ３４に復帰する。また、状態ＧＮ３８において、プリントボタン１３が押下された場合には、プリント設定画面を表示するプリントモードに設定された状態ＧＮ３７(図２６)に遷移する。
【０１９３】
また、図２７に示す再生メニューの表示状態ＧＮ３４において、プリントボタン１３が押下された場合には、プリント設定画面を表示するプリントモードに設定された状態ＧＮ３７(図２６)に移行する。
【０１９４】
以上では主に再生モードとプリントモードとの関係を説明したが、以下では、再生モード以外の撮影モード、具体的には１コマ撮影モード、連写モード、動画モード、およびプリントモード等の設定状態において、プリントボタン１３が押下された場合の処理を、図２８に記載される各項目(１)〜(８)毎に説明する。
【０１９５】
＜撮影モードにおけるデジタルカメラ１の動作＞
(１)ライブビュー表示中において、プリントボタン１３が押下されると、直ちにプリント設定画面Ｇｐ(図７)に移行する。ただし、ライブビューにおいてＡＥ評価値が取得される場合には、これを破棄する。
【０１９６】
(２)シャッターボタン９が半押し（Ｓ１状態）されてＡＦが行われる最中において、プリントボタン１３が押下されると、撮影レンズ２におけるＡＦレンズの駆動を中断して、直ちにプリント設定画面Ｇｐに移行する。
【０１９７】
(３)シャッターボタン９が半押し（Ｓ１状態）されＡＦが完了した後において、プリントボタン１３が押下されると、取得したＡＦ評価値を破棄して、直ちにプリント設定画面Ｇｐに移行する。
【０１９８】
(４)シャッターボタン９が全押し（Ｓ２状態）された後で、撮影画像の記録途中または連写の谷間においては、プリントボタン１３の押下により、ファイルアクセス（書き込み）が完了する前にプリント設定画面Ｇｐに移行する。このプリント設定画面では、表示順設定に従って撮影画像を表示するとともに、撮影画像のメモリカード９０への記録をバックグラウンドで並列して行う。
【０１９９】
(５)シャッターボタン９が全押し（Ｓ２状態）された後で、撮影された画像がＬＣＤ５に表示されるアフタービュー表示中（「記録する」／「記録しない」の選択肢が表示される状態）においては、プリントボタン１３の押下によってアフタービュー表示されている画像を記録し、記録完了後にプリント設定画面Ｇｐに移行する。
【０２００】
(６)セルフタイマー動作中において、プリントボタン１３が押下されると、セルフタイマーをキャンセルして、プリントモードに移行する。
【０２０１】
(７)撮影モードのメニュー画面（以下では「撮影メニュー」ともいう）の表示中において、プリントボタン１３が押下されると、直ちにプリント設定画面Ｇｐに移行する。
【０２０２】
(８)動画モードの動画撮影中において、プリントボタン１３が押下されると、動画撮影を終了させて、プリント設定画面Ｇｐに移行する。このプリント設定画面では、撮影された動画を表示せず、表示順設定に従って撮影画像を表示する。
【０２０３】
以下では、撮影モード（１コマ撮影モード、連写モードおよび動画モード）におけるデジタルカメラ１の動作について、１コマ撮影モードにおけるデジタルカメラ１の動作を例にとって説明する。
【０２０４】
＜１コマ撮影モードにおけるデジタルカメラ１の動作＞
図２９は、１コマ撮影モードにおけるデジタルカメラ１の動作を説明するための図である。本図において、参照符号がＧＮで始まるブロックはデジタルカメラの状態を示しており、参照符号がＳＴで始まるブロックは、デジタルカメラ１の処理を示している。
【０２０５】
１コマ撮影モードに設定され、ライブビュー表示が行われている状態ＧＮ４１において、シャッターボタン９が半押しされる場合には、ＡＦ・ＡＥ・ＡＷＢの各処理ＳＴ７１を行い、この処理が完了するとＡＦ・ＡＥ・ＡＷＢ評価値が取得された状態ＧＮ４２に移行する。そこで、１コマ撮影モードに設定された状態ＧＮ４１またはＡＦ・ＡＥ・ＡＷＢの処理ＳＴ７１中において、プリントボタン１３が押下されると、図２４に示す動作と同様のエラーチェック処理ＳＴ７４を行って、プリントモードに移行する。
【０２０６】
また、１コマ撮影モードに設定された状態ＧＮ４１において、メニューボタン８ａが押下されると、後述する撮影メニューが表示される状態に遷移する。
【０２０７】
ＡＦ・ＡＥ・ＡＷＢ評価値の取得状態ＧＮ４２において、プリントボタン１３が押下されると、ＡＦ・ＡＥ・ＡＷＢ評価値を破棄する処理ＳＴ７２を行った後にエラーチェックの処理ＳＴ７４を行って、プリントモードに移行する。一方、状態ＧＮ４２において、シャッターボタン９が全押しされると、セルフタイマーが設定されているかを判定する処理ＳＴ７３を行う。ここで、セルフタイマーが設定されている場合には、セルフタイマーカウント中の状態ＧＮ４３に移行する。一方、セルフタイマーが設定されていない場合には、露光し、撮影画像データをＲＡＭ５０ａに格納して画像処理を行う状態ＧＮ４４に移行する。
【０２０８】
セルフタイマーカウント中の状態ＧＮ４３において、プリントボタン１３が押下されると、セルフタイマーをキャンセルしてエラーチェックの処理ＳＴ７４に移行する。一方、状態ＧＮ４３において、カウントアップすると、露光などを行う状態ＧＮ４４に移行する。
【０２０９】
露光などを行う状態ＧＮ４４において、プリントボタン１３が押下されても無視して、露光などの処理を継続する。また、状態ＧＮ４４において、画像処理が完了すると、アフタービューが設定されているかを判定する処理ＳＴ７５に移行する。
【０２１０】
判定処理ＳＴ７５において、アフタービューが設定されている場合には、サムネイル画像データＳＤ(図４)に関する表示用のサムネイル画像を生成する処理ＳＴ７６を行って撮影画像に関するサムネイル画像を表示する状態ＧＮ４５に移行する。一方、判定処理ＳＴ７５において、アフタービューが設定されていない場合には、メモリカード９０に対する撮影画像の記録処理ＳＴ７９を行った後に１コマ撮影モードに設定された状態ＧＮ４１に移行してライブビュー表示を行う。なお、記録処理ＳＴ７９の最中にプリントボタン１３が押下される場合には、書き込みが完了する前であっても直ちに図２４に示す動作と同様のエラーチェックの処理ＳＴ８０を行って、プリントモードに移行する。
【０２１１】
サムネイル画像の表示状態ＧＮ４５において、プリントボタン１３が押下された場合には、メモリカード９０に対する撮影画像の記録処理ＳＴ７７を行った後に、エラーチェックの処理ＳＴ７４を行って、プリントモードに移行する。
【０２１２】
また、サムネイル画像の表示状態ＧＮ４５において、一定時間（例えば３秒）の間にユーザの操作がない場合や、画像記録がユーザによって選択された場合には、記録処理ＳＴ７９に移行する。
【０２１３】
また、サムネイル画像の表示状態ＧＮ４５において、画像の削除が選択された場合には、ＲＡＭ５０ａ内の撮影画像データをクリアして１コマ撮影モードの設定画面ＧＮ４１に移行してライブビュー表示を行う。
【０２１４】
なお、連写モードおよび動画モードにおいても、プリントボタン１３が押下されると、１コマ撮影モードにおける動作とほぼ同様に、図２４に示す動作と同様のエラーチェックの処理を行って、プリントモードに移行する。
【０２１５】
以上のように、本発明の実施形態に係るデジタルカメラ１では、撮影モードからプリントモードへ遷移して撮影画像の再生表示を開始する際に、メモリカード９０に格納されるプリント注文ファイルＰｆ内の情報と画像フォルダＦａ１内の撮影画像のコマ番号とを参照することで、画像フォルダＦａ１内の複数の記録画像のうちプリント設定が行われていない撮影画像を優先的に再生表示する。よって、プリント未設定画像を効率良く見つけだすことができるため、プリント設定をすべき対象画像の特定を容易に行うことができる。その結果、容易かつ効率良くプリント設定をすることができる。
【０２１６】
また、撮影モードからプリントモードに遷移する際に、画像フォルダＦａ１内にプリント未設定画像が存在すれば、プリント未設定画像を優先的に表示させることができる表示順Ｂが設定される。そして、ＬＣＤ５によるプリント設定画面の表示時において、左ボタン７ｃ・右ボタン７ｄの押下操作といったコマ送り・戻し操作に応答して、プリント未設定画像を連続して順次に表示させたり、プリント既設定画像を連続して順次に表示させたりすることができる。その結果、プリント設定すべき対象を容易に探し出すことができ、容易かつ効率良くプリント設定を行うことができる。
【０２１７】
また、撮影モードからプリントモードに遷移する際に、画像フォルダＦａ１内にプリント未設定画像が存在していなければ、画像フォルダＦａ１内に含まれる撮影画像のうち、
最先または最後にメモリカード９０に記録された撮影画像、つまり、コマ番号が最小又は最大の撮影画像の再生表示を含むプリント設定画面がＬＣＤ５に表示される。その結果、ユーザがプリントモードに遷移させてプリント設定をしたい場合に、プリント設定が可能な画像が表示されないといった不具合を防止することができる。
【０２１８】
また、全体制御部５０の制御下で、再生モードからプリントモードに遷移してＬＣＤ５がプリント設定画面の表示を開始する際には、プリント注文ファイルＰｆの情報内容に拘わらず、再生モードにおいてＬＣＤ５により再生表示されていた撮影画像に対応するプリント設定画面をＬＣＤ５が表示する。その結果、現在視認している再生画像に係るプリント設定画面に移行させたいというユーザーの意図を良く反映させることができるため、プリント設定の操作性がさらに向上する。
【０２１９】
また、ＬＣＤ５がプリント未設定画像の再生表示を含むプリント設定画面を優先的に表示する際に、全体制御部５０が、ＬＣＤ５によって表示されるプリント未設定画像に対して特定のデフォルトとしてのプリント設定条件（例えば、プリント枚数＝１枚）が自動的に設定される。その結果、プリント未設定画像に対して少ない操作でプリント設定が可能となる。
【０２２０】
＜その他＞
以上、この発明の実施形態について説明したが、本発明は上述した内容のものに限定されるものではなく、種々の変形例が適用可能であることは勿論である。
【０２２１】
◎例えば、上述した実施形態では、撮影モードからプリントモードに移行した際に、プリント未設定画像とプリント既設定画像との双方がある場合には、図１１に示すように、プリント未設定画像とプリント既設定画像とを区別して、撮影画像の表示順を並び替えることによって、プリント未設定画像を優先的に表示するプリント設定画面をＬＣＤ５に表示することができるようにしたが、これに限られるものではなく、プリントモードにおいては、常にプリント未設定画像のみについてのプリント設定画面を表示するようにしても良い。以下に、プリント未設定画像のみについてのプリント設定画面を表示する場合における撮影画像の表示およびコマ送り・コマ戻し動作について説明する。
【０２２２】
図３０は、変形例に係るプリントモードにおける画像表示およびコマ送り・戻しの動作フローを示すフローチャートである。なお、この動作フローを、上述した実施形態における図２４で示したエラーチェック処理の表示順設定動作ＳＴ５２からプリントモードに移行した後のコマ送り・コマ戻し動作にかける動作・処理と入れ替えることによって、本変形例の動作が実現される。つまり、ここでは、プリントモードに遷移するに際して、まず、ステップＳ１２１に進む。
【０２２３】
ステップＳ１２１では、メモリカード９０内にプリント注文ファイルＰｆがあるか否かを判定する。ここで、プリント注文ファイルＰｆがあると判定されると、ステップＳ１２２に進む。一方、プリント注文ファイルＰｆがないと判定されると、ステップＳ１２４に進む。
【０２２４】
ステップＳ１２２では、画像フォルダＦａ１内にプリント未設定画像が存在するか否かを確認し、ステップＳ１２３に進む。ここでは、プリント注文ファイルＰｆ内の情報と画像フォルダＦａ１内の撮影画像のコマ番号とを参照することで、プリント未設定画像の存否を確認することができる。
【０２２５】
ステップＳ１２３では、ステップＳ１２２での確認結果に基づいて、画像フォルダＦａ１内にプリント未設定画像が存在するか否かを判定する。ここでは、プリント未設定画像が存在すると判定される場合には、ステップＳ１２４に進み、プリント未設定画像が存在しないと判定される場合には、ステップＳ１２５に進む。
【０２２６】
ステップＳ１２５では、「プリント未設定画像はありません」という警告表示をＬＣＤ５で行う。つまり、ステップＳ１２５では、メモリカード９０の記録領域に含まれる所定の画像フォルダＦａ１内に記録された全ての撮影画像に対してプリント設定が完了したことを所定のタイミングにおいてＬＣＤ５による表示によって報知する機能を実現する。その結果、プリント設定が一通り完了したことを容易かつ直ぐに把握することができる。
【０２２７】
そして、ステップＳ１２５で、警告表示がＬＣＤ５上に表示されている間に、実行(中央)ボタン７ｅが押下されると遷移元のモードに復帰する。つまり、プリントモードにおける画像表示およびコマ送り・戻しを動作フローを終了させる。なお、ここで、遷移元のモードは、ステップＳ１２５における画面表示の直前にＲＯＭ５０ｂに記憶されるものとする。
【０２２８】
ステップＳ１２４では、プリントモードに移行して、プリント未設定画像の最終コマ（画像フォルダＦａ１内のコマ番号が最も大きなコマ）を表示し、ステップＳ１２６に進む。なお、ここでは、プリント注文ファイルＰｆ内の情報と画像フォルダＦａ１内の撮影画像のコマ番号とを参照することで、プリント未設定画像の最終コマを識別し、読出すことができる。
【０２２９】
ステップＳ１２６では、図１３に示すようなプリントモードにおける各種ボタンの押下操作によるプリント設定に係る指定操作（プリント指定操作）を受け付け、ステップＳ１２７に進む。
【０２３０】
ステップＳ１２７では、ステップＳ１２２と同様に画像フォルダＦａ１内にプリント未設定画像が存在するか否かを確認し、ステップＳ１２８に進む。
【０２３１】
ステップＳ１２８では、ステップＳ１２７での確認結果に基づいて、画像フォルダＦａ１内にプリント未設定画像が存在するか否かを判定する。ここでは、プリント未設定画像が存在すると判定される場合には、ステップＳ１２９に進み、プリント未設定画像が存在しないと判定される場合には、ステップＳ１３０に進む。なお、ここで、プリント未設定画像が存在するか否かを判定するのは、ステップＳ１２６におけるプリント設定に係る指定操作によって、プリント未設定画像が存在する状態から存在しない状態となっているかもしれないからである。
【０２３２】
ステップＳ１３０では、ステップＳ１２５と同様に、「プリント未設定画像はありません」という警告表示をＬＣＤ５で行う。そして、実行(中央)ボタン７ｅが押下されると遷移元のモードに復帰する。つまり、プリントモードにおける画像表示およびコマ送り・戻しを動作フローを終了させる。
【０２３３】
ステップＳ１２９では、左ボタン７ｃが押下されたか否かを判定する。ここで、左ボタン７ｃが押下されたと判定される場合には、ステップＳ１３１に進み、左ボタン７ｃが押下されていないと判定される場合には、ステップＳ１３３に進む。
【０２３４】
ステップＳ１３１では、画像フォルダＦａ１内の撮影画像のうち、現在の表示画像の前のコマ番号の撮影画像のプリント設定状況を確認し、ステップＳ１３２に進む。ここでは、プリント注文ファイルＰｆ内の情報と画像フォルダＦａ１内の撮影画像のコマ番号とを参照することで、プリント設定状況を確認することができる。
【０２３５】
ステップＳ１３２では、ステップＳ１３１でプリント設定状況が確認された撮影画像が既にプリント設定済みであるか否かを判定する。ここでは、プリント設定済みであると判定されれば、さらにプリント未設定画像を検出すべくステップＳ１３１に戻る。一方、プリント設定済みでないと判定されれば、ステップＳ１３６に進む。つまり、ここでは、左ボタン７ｃの押下に応答して、プリント既設定画像を飛ばしつつ、コマ番号の小さな方向にあるプリント未設定画像を検出する。
【０２３６】
ステップＳ１３３では、右ボタン７ｄが押下されたか否かを判定する。ここで、右ボタン７ｄが押下されたと判定される場合には、ステップＳ１３４に進み、右ボタン７ｄが押下されていないと判定される場合には、左ボタン７ｃおよび右ボタン７ｄのいずれも押下されていないため、コマ送り・戻しはないものとして、ステップＳ１２６に戻り、プリント指定操作を受け付ける。
【０２３７】
ステップＳ１３４では、ステップＳ１３１と同様な手法により、画像フォルダＦａ１内の撮影画像のうち、現在の表示画像の次のコマ番号の撮影画像に対するプリント設定状況を確認し、ステップＳ１３５に進む。
【０２３８】
ステップＳ１３５では、ステップＳ１３４でプリント設定状況が確認された撮影画像が既にプリント設定済みであるか否かを判定する。ここでは、プリント設定済みであると判定されれば、さらにプリント未設定画像を検出すべくステップＳ１３４に戻る。一方、プリント設定済みでないと判定されれば、ステップＳ１３６に進む。つまり、ここでは、右ボタン７ｄの押下に応答して、プリント既設定画像を飛ばしつつ、コマ番号の大きな方向にあるプリント未設定画像を検出する。
【０２３９】
ステップＳ１３６では、ステップＳ１３２およびステップＳ１３５でプリント未設定であると判定された撮影画像、つまり、プリント未設定画像を表示するプリント設定画面をＬＣＤ５に表示し、ステップＳ１２６に戻って、プリント指定操作を受け付ける。
【０２４０】
このようにして、左ボタン７ｃおよび右ボタン７ｄの押下に応答して、プリント未設定画像のみをコマ番号の順に従って順次表示するプリント設定画面をＬＣＤ５上に表示することができる。
【０２４１】
つまり、全体制御部５０が、ＬＣＤ５によって撮影画像を表示するプリント表示画面の表示時において、左ボタン７ｃ・右ボタン７ｄの押下操作といった表示画像を変更させる操作（表示画像変更操作）に応答して、プリント設定画面において次に再生表示される撮影画像が常にプリント未設定画像となるように制御することができる。よって、ここでは、プリント未設定画像のみを選択的に連続してプリント設定画面で表示させることにより、プリント設定すべき対象を容易に探し出すことができる。その結果、容易かつ効率良くプリント設定を行うことができる。
【０２４２】
◎また、上述した実施形態では、撮影モードから再生モードへの遷移時や再生モードにおけるコマ送り・戻し時において、単にコマ番号の順番にしたがって撮影画像を表示したが、これに限られるものではなく、例えば、再生モードにおいて、上述した実施形態におけるプリントモードと同様に、他のモードから再生モードへの遷移時に図９に示すような表示順設定動作を行って、プリント未設定画像を優先的に再生表示する画面（再生表示画面）を表示したり、コマ送り・戻し時において再生表示画面上でプリント未設定画像を連続的に表示可能としても良い。
【０２４３】
このような構成とすることで、再生モードにおいてプリントボタン１３を押下するだけで表示されている撮影画像に対してプリント設定が可能となるような機能をデジタルカメラに持たせた場合に、容易かつ効率良くプリント未設定画像を再生モードで表示させることができるため、容易かつ効率よくプリント設定の操作を行うことができる。
【０２４４】
◎また、上述した実施形態では、１コマ撮影モードにおいてアフタービューを表示している際に、プリントボタン１３が押下されると、アフタービューに係る撮影画像をメモリーカード９０へ記録するとともに、エラーチェックの処理を行って、プリントモードに遷移し、メモリカード９０に格納される画像フォルダＦａ１内のプリント未設定画像のうち最もコマ番号が大きな撮影画像を優先的に表示したが、これに限られるものではなく、例えば、アフタービューの表示中にプリントボタン１３が押下されると、直ちにプリントモードに遷移し、アフタービューに係る撮影画像はプリント未設定画像であるとして、アフタービューに係る撮影画像を優先的に表示するようにしても良い。そして、このときには、アフタービューに係る撮影画像を表示するプリント設定画面をＬＣＤ５に表示しつつ、アフタービューに係る撮影画像をメモリカード９０に記録する処理をバックグラウンドで並列して行うようにしても良い。
【０２４５】
このような構成とすることで、ＬＣＤ５に表示されている画像についてプリント設定をしたいというユーザの意図を素直に反映させることができるため、プリント設定の操作性がより向上する。
【０２４６】
◎また、上述した実施形態では、メモリカード９０に含まれる所定の画像記録領域に相当する画像フォルダＦａ１に記録された撮影画像を対象として、プリントモードや再生モードにおいて再生表示したが、これに限られるものではなく、例えば、撮影画像フォルダＦａ内の全ての画像フォルダＦａ１，Ｆａ２に記録された全撮影画像を対象として、プリントモードや再生モードにおいて再生表示するようにしても良い。具体的には、撮影画像フォルダＦａ内の全ての撮影画像を対象として、プリントモードへの遷移時に、プリント未設定画像を優先的に表示するようにしたり、表示順設定をするようにしても良い。すなわち、撮影画像フォルダＦａがこの発明における「所定の画像記録領域」に相当するような構成としても良い。
【０２４７】
このような構成とすることで、メモリカード９０内に記録されるプリント未設定画像を優先的に表示して、プリント設定をすべき画像を容易に見つけだして、プリント設定を容易かつ効率良く実施することができる。なお、上述した実施形態のように、メモリカード９０内の特定の画像フォルダＦａ１を対象として、プリント未設定画像を優先的に表示するような構成とすると、特定の画像フォルダＦａ１について、容易かつ効率良くプリント設定を行うことができる。この特定の画像フォルダＦａ１を再生の対象として指定する手法としては、撮影されたデジタルカメラのメーカや機種の対応や、ユーザによる人為的な選択や設定等に応じた種々の指定方法が考えられる。
【０２４８】
なお、例えば、メモリーカード内に三つの画像フォルダが格納され、その三つの画像フォルダのうち２つの画像フォルダに記録された全撮影画像を対象として、プリントモードや再生モードにおいて再生表示するようにしても良い。すなわち、この発明における「所定の画像記録領域」は、画像を記録する物理的に離隔した二以上の記録領域によって構成されるものであっても良い。
【０２４９】
◎また、上述した実施形態では、撮影画像と当該撮影画像に対するプリント設定の情報とを一つのメモリカード９０に記録したが、これに限られるものではなく、例えば、撮影画像と当該撮影画像に対するプリント設定の情報とをそれぞれ別個の記録媒体に記録するようにしても良い。すなわち、この発明における「記録手段」とは、一つの記録部（例えば、メモリカードやＲＯＭやハードディスクなど）であっても良いし、物理的に離隔して配置される二つ以上の記録部によって構成されても良い。
【図面の簡単な説明】
【０２５０】
【図１】本発明の実施形態に係るデジタルカメラ１の外観構成を示す斜視図である。
【図２】デジタルカメラ１の外観構成を示す斜視図である。
【図３】デジタルカメラ１の内部機能を示すブロック図である。
【図４】メモリカードのデータ配列を示す図である。
【図５】メモリカード９０内のフォルダおよびファイル構成を示す図である。
【図６】プリント注文ファイルに格納される情報を説明するための図である。
【図７】プリント設定画面を説明するための図である。
【図８】プリント設定画面を説明するための図である。
【図９】プリントモードにおいて表示される撮影画像の順番を設定する動作フローを示すフローチャートである。
【図１０】表示画像のコマ送り・戻し動作フローを示すフローチャートである。
【図１１】画像表示順の並び替えについて説明するための図である。
【図１２】表示画像のコマ送り・戻し動作フローを示すフローチャートである。
【図１３】プリントモードにおける動作を説明するための図である。
【図１４】プリントモードにおける動作を説明するための図である。
【図１５】プリントモードにおける動作を説明するための図である。
【図１６】プリント設定画面を説明するための図である。
【図１７】プリント設定画面を説明するための図である。
【図１８】プリント注文の記録処理の動作を示すフローチャートである。
【図１９】プリントメニュー画面を示す図である。
【図２０】プリントメニュー画面で表示される各項目を説明するための図である。
【図２１】プリント設定画面の表示態様を説明するための図である。
【図２２】デジタルカメラ１の基本的な動作を示す状態遷移図である。
【図２３】プリントモードと他の４種類のモードとの関係を示す状態遷移図である。
【図２４】エラーチェックの動作を示すフローチャートである。
【図２５】再生モードでプリントボタンが押下された際の処理を示す図である。
【図２６】再生モードにおけるデジタルカメラ１の動作を説明するための図である。
【図２７】再生モードにおけるデジタルカメラ１の動作を説明するための図である。
【図２８】再生モード以外のモードの設定状態においてプリントボタンが押下された場合の処理を説明するための図である。
【図２９】１コマ撮影モードにおけるデジタルカメラ１の動作を説明するための図である。
【図３０】変形例に係るプリントモードにおける画像表示およびコマ送り・戻しを動作フローを示すフローチャートである。
【符号の説明】
【０２５１】
１  デジタルカメラ
５  ＬＣＤ
７ｃ  左ボタン
７ｄ  右ボタン
１３  プリントボタン
５０  全体制御部
５０ａ  ＲＡＭ
９０  メモリカード
【図１】
2005236763.tif 000003
【図２】
2005236763.tif 000004
【図３】
2005236763.tif 000005
【図４】
2005236763.tif 000006
【図５】
2005236763.tif 000007
【図６】
2005236763.tif 000008
【図７】
2005236763.tif 000009
【図８】
2005236763.tif 000010
【図９】
2005236763.tif 000011
【図１０】
2005236763.tif 000012
【図１１】
2005236763.tif 000013
【図１２】
2005236763.tif 000014
【図１３】
2005236763.tif 000015
【図１４】
2005236763.tif 000016
【図１５】
2005236763.tif 000017
【図１６】
2005236763.tif 000018
【図１７】
2005236763.tif 000019
【図１８】
2005236763.tif 000020
【図１９】
2005236763.tif 000021
【図２０】
2005236763.tif 000022
【図２１】
2005236763.tif 000023
【図２２】
2005236763.tif 000024
【図２３】
2005236763.tif 000025
【図２４】
2005236763.tif 000026
【図２５】
2005236763.tif 000027
【図２６】
2005236763.tif 000028
【図２７】
2005236763.tif 000029
【図２８】
2005236763.tif 000030
【図２９】
2005236763.tif 000031
【図３０】
2005236763.tif 000032